(57)【要約】【課題】  紙面の不正な読み取りを防ぐことができる，新規かつ改良された，印刷装置，印刷方法，紙面読取装置，紙面読取方法および書籍不正読取防止システムを提供する。【解決手段】  紙面作成装置で作成した紙面情報を印刷する印刷システム１００と，紙面を読み取る紙面読取装置２００と，を含んで構成され，印刷システム１００は，生成した紙面情報に秘匿情報を重畳して印刷し，紙面読取装置２００は，紙面の読み取りを行う紙面読取部と，紙面読取部で読み取った紙面読取情報から，紙に印刷された秘匿情報を抽出する秘匿情報抽出部と，秘匿情報に画像の読み取りを制限する画像読取制限情報が含まれていた場合に，紙面読取部で読み取った紙面読取情報の保存を禁止する読取制御部と，を含むことを特徴とする，書籍不正読取防止システムを提供する。【選択図】    図１
2007214951.tif 000002
【特許請求の範囲】
【請求項１】
書籍や雑誌の不正な読み取りを防止する書籍不正読取防止システムであって：
紙面作成装置で作成した紙面情報を印刷する印刷装置と；
紙面を読み取る紙面読取装置と；
を含んで構成され，
前記印刷装置は，
画像の読み取りを制限する画像読取制限情報を含む秘匿情報を生成する秘匿情報生成部と；
前記紙面情報に前記秘匿情報生成部で生成した秘匿情報を重畳して印刷する印刷部と；
を含み，
前記紙面読取装置は，
紙面の読み取りを行う紙面読取部と；
前記紙面読取部で読み取った紙面読取情報から，紙に印刷された秘匿情報を抽出する秘匿情報抽出部と；
前記秘匿情報に前記画像読取制限情報が含まれていた場合に，前記紙面読取部で読み取った紙面読取情報の保存を禁止する読取制御部と；
を含むことを特徴とする，書籍不正読取防止システム。
【請求項２】
前記画像読取制限情報は，紙面の読取を禁止する領域を示す読取禁止領域情報を含み，
前記読取制御部は，前記秘匿情報に前記読取禁止領域情報が含まれていた場合に，前記紙面読取情報の内，前記読取禁止領域情報が示す領域の保存を禁止することを特徴とする，請求項１に記載の書籍不正読取防止システム。
【請求項３】
料金精算装置をさらに含んで構成され，
前記紙面読取装置は，前記秘匿情報に紙面を読み取るためには料金の支払いが必要であること示す料金精算情報が含まれていた場合に，料金の支払いを行う料金情報を料金精算装置に送信する料金情報送信部をさらに含み，
前記読取制御部は，前記料金情報送信部で料金を支払わなかった場合に前記紙面読取部で読み取った前記紙面読取情報の保存を禁止し，
前記料金精算装置は，
前記料金精算情報を受信すると，前記紙面読取情報を保存するために必要な料金情報を確認する料金確認手段と；
前記料金情報送信部から送信された前記料金情報を用いて料金の精算を行う料金精算部と；
を含むことを特徴とする，請求項１または２に記載の書籍不正読取防止システム。
【請求項４】
前記紙面読取装置は，
前記紙面読取部で書籍購入時に書籍を正当に購入したことを示す書籍情報を読み取り，読み取った前記書籍情報を記憶する書籍情報記憶部と；
前記書籍情報記憶部を検索する書籍情報検索部と；
をさらに含み，前記紙面読取部で前記紙面を読み取る際に，前記画像読取制限情報が前記紙面読取情報に含まれていた場合，前記書籍情報検索部が前記書籍情報記憶部を検索し，前記書籍情報記憶部に前記紙面読取情報が記録されている書籍に対応する前記書籍情報が存在しない場合，前記読取制御部が前記紙面読取情報の保存を禁止することを特徴とする，請求項１〜３のいずれかに記載の書籍不正読取防止システム。
【請求項５】
紙面作成装置で作成した紙面情報を印刷する印刷装置であって：
秘匿情報を生成する秘匿情報生成部と；
前記紙面情報に，前記秘匿情報生成部で生成した秘匿情報を重畳して印刷する印刷部と；
を含み，前記秘匿情報は，紙面の読み取りを禁止する画像読取制限情報を含むことを特徴とする，印刷装置。
【請求項６】
前記秘匿情報は，紙面を読み取るために料金の支払いが必要であること示す料金精算情報であることを特徴とする，請求項５に記載の印刷装置。
【請求項７】
紙面情報と，紙面の読み取りを禁止する画像読取制限情報を含む秘匿情報とを生成し；
前記紙面情報に，前記秘匿情報を重畳して印刷する；
ことを特徴とする，印刷方法。
【請求項８】
前記秘匿情報は，紙面を読み取るために料金の支払いが必要であること示す料金精算情報であることを特徴とする，請求項７に記載の印刷方法。
【請求項９】
紙面の読み取りを行う紙面読取部と；
前記紙面読取部で読み取った紙面読取情報から，紙に印刷された秘匿情報を抽出する秘匿情報抽出部と；
前記秘匿情報に画像の読み取りを制限する画像読取制限情報が含まれていた場合に，前記紙面読取部で読み取った紙面読取情報の保存を禁止する読取制御部と；
を含むことを特徴とする，紙面読取装置。
【請求項１０】
前記画像読取制限情報は，紙面の読取禁止領域を示す読取禁止領域情報を含み，
前記読取制御部は，前記秘匿情報に前記読取禁止領域情報が含まれていた場合に，前記紙面読取情報の内，前記読取禁止領域情報が示す領域の保存を禁止することを特徴とする，請求項９に記載の紙面読取装置。
【請求項１１】
料金を精算する料金精算部をさらに含み，
前記料金精算部は，前記秘匿情報に紙面を読み取るために料金の支払いが必要であること示す料金精算情報が含まれていた場合に，必要な料金の精算を行い，前記読取制御部は，前記料金精算部で料金の精算を行わなかった場合に前記紙面読取部で読み取った紙面読取情報の保存を禁止することを特徴とする，請求項９または１０に記載の紙面読取装置。
【請求項１２】
請求項１１に記載の紙面読取装置から料金の精算情報を受信することを特徴とする，紙面料金精算装置。
【請求項１３】
紙面を読み取り紙面読取情報を取得し；
読み取った前記紙面読取情報から，紙に印刷された秘匿情報を抽出し；
前記秘匿情報に画像の読み取りを制限する画像読取制限情報が含まれていた場合に，読み取った紙面読取情報の保存を禁止する；
ことを特徴とする，紙面読取方法。
【請求項１４】
前記画像読取制限情報は，紙面の読取禁止領域を示す読取禁止領域情報を含み，
前記秘匿情報に前記読取禁止領域情報が含まれていた場合に，前記紙面読取情報の内，前記読取禁止領域情報が示す領域の保存を禁止することを特徴とする，請求項１３に記載の紙面読取方法。
【請求項１５】
前記秘匿情報に，紙面を読み取るために料金の支払いが必要であること示す料金精算情報が含まれていた場合に，料金の精算を行わなかった場合に読み取った紙面読取情報の保存を禁止することを特徴とする，請求項１３または１４に記載の紙面読取方法。
【発明の詳細な説明】
【技術分野】
【０００１】
本発明は，印刷装置，印刷方法，紙面読取装置，紙面読取方法および書籍不正読取防止システムに関する。
【背景技術】
【０００２】
書店やコンビニエンスストア等の小売店に来店した客が，陳列されている書籍や雑誌を購入せずに，掲載されている記事をカメラで撮影する行為（いわゆるデジタル万引き）が社会問題となっている。特に，近年は小型のカメラ付き携帯電話が普及し，カメラ付き携帯電話を使用して書籍や雑誌を手軽に撮影ができるようになったことから，デジタル万引きの問題が大きく問題視されるようになった。
【０００３】
デジタル万引きの対策としては，書店にポスターや張り紙を掲示して撮影の自粛を訴えたり，従業員が注意したり，カメラ付き携帯電話の持込を規制したりする方法があるが，いずれも利用者のマナーに頼らざるを得ないため，明確な対策には至っていない。
【０００４】
そこで，紙面に特殊な情報を印刷し，カメラで紙面を撮影した際に，特殊な情報が画像に含まれていた場合に，撮影を中止する技術が開示されている。紙面に特殊な情報を印刷する方法としては，例えば特許文献１や特許文献２があり，特殊な情報が画像に含まれていた場合に，撮影を中止する方法としては，例えば特許文献３がある。
【０００５】
【特許文献１】特開２００３−１０１７６２号公報
【特許文献２】特開２００３−２６４６８５号公報
【特許文献３】特開２００５−２１７９７７号公報
【発明の開示】
【発明が解決しようとする課題】
【０００６】
しかし，特許文献３の方法では，紙面の一部にのみ特殊な情報を印刷しているため，紙面の一部のみを撮影禁止にしたい場合において，その周辺に特殊な情報を印刷しなければならないため，紙面の可読性が損なわれるおそれがある。また，赤外線を反射する特殊な素材で記録するため，高価な印刷装置が必要となる問題がある。さらに，カメラで撮影する際に，特殊な情報を避けるように撮影を行えば撮影した画像の保存が可能となり，デジタル万引きを防ぎにくい問題があった。
【０００７】
そこで，本発明は，このような問題に鑑みてなされたもので，その目的とするところは，紙面の不正な読み取りを防ぐことができる，新規かつ改良された，印刷装置，印刷方法，紙面読取装置，紙面読取方法および書籍不正読取防止システムを提供することにある。
【課題を解決するための手段】
【０００８】
上記課題を解決するために，本発明のある観点によれば，書籍や雑誌の不正な読み取りを防止する書籍不正読取防止システムであって，紙面作成装置で作成した紙面情報を印刷する印刷装置と，紙面を読み取る紙面読取装置と，を含んで構成され，印刷装置は，画像の読み取りを制限する画像読取制限情報を含む秘匿情報を生成する秘匿情報生成部と，紙面情報に，秘匿情報生成部で生成した秘匿情報を重畳して印刷する印刷部と，を含み，紙面読取装置は，紙面の読み取りを行う紙面読取部と，紙面読取部で読み取った紙面読取情報から，紙に印刷された秘匿情報を抽出する秘匿情報抽出部と，秘匿情報に画像読取制限情報が含まれていた場合に，紙面読取部で読み取った紙面読取情報の保存を禁止する読取制御部と，を含むことを特徴とする，書籍不正読取防止システムが提供される。
【０００９】
かかる構成によれば，印刷装置は画像読取制限情報を含む秘匿情報を紙面に埋め込んで印刷し，紙面読取装置は読み取った紙面の画像から秘匿情報を取り出し，秘匿情報に画像読取制限情報が含まれていた場合に，読み取った画像の保存を禁止する。その結果，本発明のある観点による書籍不正読取防止システムは，書籍や雑誌の紙面を紙面読取装置で読み取っても，読み取った画像の保存を防止することができる。
【００１０】
画像読取制限情報は，紙面の読取を禁止する領域を示す読取禁止領域情報を含み，読取制御部は，秘匿情報に読取禁止領域情報が含まれていた場合に，紙面読取情報の内，読取禁止領域情報が示す領域の保存を禁止するようにしてもよい。かかる構成によれば，印刷装置は読取禁止領域情報を含む秘匿情報を紙面に埋め込んで印刷し，紙面読取装置は読み取った紙面の画像から秘匿情報を取り出し，秘匿情報に読取禁止領域情報が含まれていた場合に，読み取った画像の保存を禁止する。その結果，本発明のある観点による書籍不正読取防止システムは，書籍や雑誌の紙面の内，紙面の読取が禁止されている一部分を紙面読取装置で読み取った場合に，読み取った画像の保存を防止することができる。
【００１１】
料金精算装置をさらに含んで構成され，紙面読取装置は，秘匿情報に紙面を読み取るためには料金の支払いが必要であること示す料金精算情報が含まれていた場合に，料金の支払いを行う料金情報を料金精算装置に送信する料金情報送信部をさらに含み，読取制御部は，料金精算部で料金を支払わなかった場合に紙面読取部で読み取った紙面読取情報の保存を禁止し，料金精算装置は，料金精算情報を受信すると，紙面読取情報を保存するために必要な料金情報を確認する料金確認手段と，料金情報送信部から送信された料金情報を用いて料金の精算を行う料金精算部と，を含んでいてもよい。かかる構成によれば，印刷装置は料金精算情報を含む秘匿情報を紙面に埋め込んで印刷し，紙面読取装置は読み取った紙面の画像から秘匿情報を取り出し，秘匿情報に料金精算情報が含まれていた場合に，料金情報を料金精算装置に送信した場合に限り，読み取った画像の保存を許可する。その結果，本発明のある観点による書籍不正読取防止システムは，書籍や雑誌の紙面を紙面読取装置で読み取った際に，紙面読取装置の使用者が料金の支払いを拒否した場合，読み取った画像の保存を防止することができる。
【００１２】
紙面読取装置は，紙面読取部で書籍購入時に書籍を正当に購入したことを示す書籍情報を読み取り，読み取った書籍情報を記憶する書籍情報記憶部と，書籍情報記憶部を検索する書籍情報検索部と，をさらに含み，紙面読取部で紙面を読み取る際に，画像読取制限情報が紙面読取情報に含まれていた場合，書籍情報検索部が書籍情報記憶部を検索し，書籍情報記憶部に紙面読取情報が記録されている書籍に対応する書籍情報が存在しない場合，読取制御部が紙面読取情報の保存を禁止するようにしてもよい。かかる構成によれば，紙面読取装置は読み取った紙面の画像から秘匿情報を取り出し，秘匿情報に画像読取制限情報が含まれていた場合に，紙面読取装置に書籍情報が保存されている場合にのみ，読み取った画像の保存を許可する。その結果，本発明のある観点による書籍不正読取防止システムは，書籍や雑誌の紙面を紙面読取装置で読み取った際に，その書籍や雑誌を正当に購入していない場合，読み取った画像の保存を防止することができる。
【００１３】
上記課題を解決するために，本発明の別の観点によれば，紙面作成装置で作成した紙面情報を印刷する印刷装置であって，秘匿情報を生成する秘匿情報生成部と，紙面情報に，秘匿情報生成部で生成した秘匿情報を重畳して印刷する印刷部と，を含み，秘匿情報は，紙面の読み取りを禁止する紙面読取禁止領域情報を含むことを特徴とする，印刷装置が提供される。
【００１４】
かかる構成によれば，印刷装置は画像読取制限情報を含む秘匿情報を紙面に埋め込んで印刷する。その結果，本発明の別の観点による印刷装置は，画像から秘匿情報を取り出せる紙面読取装置で紙面を読み取った際に，読み取った画像の保存を禁止する紙面を印刷することができる。
【００１５】
秘匿情報は，紙面を読み取るために料金の支払いが必要であること示す料金精算情報であってもよい。かかる構成によれば，印刷装置は料金精算情報を含む秘匿情報を紙面に埋め込んで印刷する。その結果，本発明の別の観点による印刷装置は，画像から秘匿情報を取り出せる紙面読取装置で紙面を読み取った際に，紙面読取装置の使用者が料金の支払いを拒否した場合，読み取った画像の保存を防止する紙面を印刷することができる。
【００１６】
上記課題を解決するために，本発明の別の観点によれば，紙面情報と，紙面の読み取りを禁止する画像読取制限情報を含む秘匿情報とを生成し，紙面情報に，秘匿情報を重畳して印刷する，ことを特徴とする，印刷方法が提供される。
【００１７】
かかる方法によれば，紙面の読み取りを禁止する画像読取制限情報を含む秘匿情報を埋め込んで紙面を印刷する。その結果，本発明の別の観点による印刷方法は，画像から秘匿情報を取り出せる紙面読取装置で紙面を読み取った際に，読み取った画像の保存を禁止する紙面を印刷することができる。
【００１８】
秘匿情報は，紙面を読み取るために料金の支払いが必要であること示す料金精算情報であってもよい。かかる方法によれば，料金の支払いが必要であること示す料金精算情報を含む秘匿情報を埋め込んで紙面を印刷する。その結果，本発明の別の観点による印刷方法は，画像から秘匿情報を取り出せる紙面読取装置で紙面を読み取った際に，紙面読取装置の使用者が料金の支払いを拒否した場合，読み取った画像の保存を防止する紙面を印刷することができる。
【００１９】
上記課題を解決するために，本発明の別の観点によれば，紙面の読み取りを行う紙面読取部と，紙面読取部で読み取った紙面読取情報から，紙に印刷された秘匿情報を抽出する秘匿情報抽出部と，秘匿情報に画像の読み取りを制限する画像読取制限情報が含まれていた場合に，紙面読取部で読み取った紙面読取情報の保存を禁止する読取制御部と，を含むことを特徴とする，紙面読取装置が提供される。
【００２０】
かかる構成によれば，紙面読取装置は読み取った紙面の画像から秘匿情報を取り出し，秘匿情報に画像読取制限情報が含まれていた場合に，読み取った画像の保存を禁止する。その結果，本発明の別の観点による紙面読取装置は，画像読取制限情報が埋め込まれて印刷されている書籍や雑誌の紙面を読み取った場合に，読み取った画像の保存を防止することができる。
【００２１】
画像読取制限情報は，紙面の読取禁止領域を示す読取禁止領域情報を含み，読取制御部は，秘匿情報に読取禁止領域情報が含まれていた場合に，紙面読取情報の内，読取禁止領域情報が示す領域の保存を禁止するようにしてもよい。かかる構成によれば，紙面読取装置は読み取った紙面の画像から秘匿情報を取り出し，秘匿情報に読取禁止領域情報が含まれていた場合に，読み取った画像の保存を禁止する。その結果，本発明の別の観点による紙面読取装置は，書籍や雑誌の紙面の内，読取禁止領域情報が埋め込まれて印刷されている一部分を紙面読取装置で読み取った場合に，読み取った画像の保存を防止することができる。
【００２２】
料金を精算する料金精算部をさらに含み，料金精算部は，秘匿情報に紙面を読み取るために料金の支払いが必要であること示す料金精算情報が含まれていた場合に，必要な料金の精算を行い，読取制御部は，料金精算部で料金の精算を行わなかった場合に紙面読取部で読み取った紙面読取情報の保存を禁止するようにしてもよい。かかる構成によれば，紙面読取装置は読み取った紙面の画像から秘匿情報を取り出し，秘匿情報に料金精算情報が含まれていた場合に，料金の精算を行った場合に限り，読み取った画像の保存を許可する。その結果，本発明の別の観点による紙面読取装置は，書籍や雑誌の紙面を紙面読取装置で読み取った際に，紙面読取装置の使用者が料金の支払いを拒否した場合，読み取った画像の保存を防止することができる。
【００２３】
上記課題を解決するために，本発明の別の観点によれば，上記紙面読取装置から料金の精算情報を受信することを特徴とする，紙面料金精算装置が提供される。かかる構成によれば，読取装置は読み取った紙面の画像から秘匿情報を取り出し，秘匿情報に料金精算情報が含まれていた場合に，料金情報を料金精算装置に送信した場合に限り，読み取った画像の保存を許可する。その結果，本発明の別の観点による紙面料金精算装置は，書籍や雑誌の紙面を紙面読取装置で読み取った際に，紙面読取装置の使用者が料金の支払いを行った場合，読み取った画像の保存を許可することができる。
【００２４】
上記課題を解決するために，本発明の別の観点によれば，紙面を読み取り紙面読取情報を取得し，読み取った紙面読取情報から，紙に印刷された秘匿情報を抽出し，秘匿情報に画像の読み取りを制限する画像読取制限情報が含まれていた場合に，読み取った紙面読取情報の保存を禁止することを特徴とする，紙面読取方法が提供される。
【００２５】
かかる方法によれば，紙面読取情報から秘匿情報を取り出し，秘匿情報に画像読取制限情報が含まれていた場合に，読み取った画像の保存を禁止する。その結果，本発明の別の観点による紙面読取方法は，画像読取制限情報が埋め込まれて印刷されている書籍や雑誌の紙面を読み取った際に，読み取った画像の保存を防止することができる。
【００２６】
画像読取制限情報は，紙面の読取禁止領域を示す読取禁止領域情報を含み，秘匿情報に読取禁止領域情報が含まれていた場合に，紙面読取情報の内，読取禁止領域情報が示す領域の保存を禁止するようにしてもよい。かかる方法によれば，紙面読取情報から秘匿情報を取り出し，秘匿情報に読取禁止領域情報が含まれていた場合に，読み取った画像の保存を禁止する。その結果，本発明の別の観点による紙面読取方法は，書籍や雑誌の紙面の内，読取禁止領域情報が埋め込まれて印刷されている一部分を読み取った場合に，読み取った画像の保存を防止することができる。
【００２７】
秘匿情報に，紙面を読み取るために料金の支払いが必要であること示す料金精算情報が含まれていた場合に，料金の精算を行わなかった場合に読み取った紙面読取情報の保存を禁止するようにしてもよい。かかる方法によれば，紙面読取情報から秘匿情報を取り出し，秘匿情報に料金精算情報が含まれていた際に，料金の精算を行った場合に限り，読み取った画像の保存を許可する。その結果，本発明の別の観点による紙面読取方法は，書籍や雑誌の紙面を読み取った際に，料金の支払いを拒否した場合，読み取った画像の保存を防止することができる。
【発明の効果】
【００２８】
以上説明したように本発明によれば，紙面の不正な読み取りを防ぐことができる，印刷装置，印刷方法，紙面読取装置，紙面読取方法および書籍不正読取防止システムを提供できるものである。
【発明を実施するための最良の形態】
【００２９】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００３０】
（第１の実施形態）
図１は，本発明の第１の実施形態に係る書籍不正読取防止システムの構成を示す説明図である。図１に示したように，本発明の第１の実施形態に係る書籍不正読取防止システムは，印刷システム１００と，紙面読取装置２００とを含んで構成される。印刷システム１００は，紙面作成装置１１０と，印刷装置１２０とを含んで構成される。
【００３１】
紙面作成装置１１０は，書籍や雑誌の紙面の基となる紙面情報を作成するものである。紙面作成装置１１０として，パーソナルコンピュータやワークステーション等を用いる事ができる。印刷装置１２０は，紙面情報に書籍の不正な読み取りを防止するための秘匿情報を重畳して紙面を印刷するものである。印刷装置１２０で印刷された紙面は，書籍や雑誌に製本され，書籍や雑誌は書店やコンビニエンスストア等の小売店の店頭に並べられる。
【００３２】
紙面読取装置２００は，印刷システム１００で印刷されて製本された書籍や雑誌を読み取るものである。紙面読取装置２００として，小型の撮像装置を備えた情報処理装置や通信機器を用いることができる。小型の撮像装置を備えた情報処理装置や通信機器の例として，カメラ付き携帯電話やカメラ付き携帯端末，デジタルカメラ，コピー機などを用いてもよい。
【００３３】
以上，図１を用いて本発明の第１の実施形態に係る書籍不正読取防止システムの構成について説明した。次に，図２を用いて本発明の第１の実施形態に係る印刷システムについて説明する。
【００３４】
図２は，本発明の第１の実施形態に係る印刷システムを示す説明図である。図２に示したように，本発明の第１の実施形態に係る印刷システム１００は，紙面作成装置１１０と，印刷装置１２０とを含んで構成されている。紙面作成装置１１０は，紙面作成部１１２と，紙面情報生成部１１４と，秘匿情報生成部１１６と，印刷データ生成部１１８とを含み，印刷装置１２０は，印刷部１２２とを含んで構成される。
【００３５】
紙面作成部１１２は，書籍や雑誌の紙面を作成するものである。紙面作成部１１２として，市販のワードプロセッサソフトウェアを用いてもよい。
【００３６】
紙面情報生成部１１４は，紙面作成部１１２で作成した紙面の画像データへの変換を行い，紙面データの生成を行う。紙面情報生成部１１４の例として，紙面の印刷イメージを画像として記録する画像化ソフトウェアを用いてもよい。
【００３７】
秘匿情報生成部１１６は，紙面情報生成部１１４で生成した紙面データを用いて，秘匿情報を生成する。秘匿情報には，紙面の回転角度を検出するための座標情報，撮影禁止を示す情報，書籍の識別情報，書籍のページ番号等を含んでもよい。
【００３８】
印刷データ生成部１１８は，秘匿情報生成部１１６で生成した秘匿情報を示す埋め込み情報の生成を行う。埋め込み情報は，例えば特許文献１や特許文献２に示した方法で生成する。
【００３９】
印刷部１２２は，紙面情報生成部で生成した紙面データに，印刷データ生成部１１８で生成した埋め込み情報を重畳して印刷を行う。本実施形態において，埋め込み情報を電子文書データに重畳する方法には，地紋を生成して電子文書データに重畳する，特許文献１に記載の技術を用いる事ができる。印刷された紙面は書籍や雑誌に製本され，書籍や雑誌は書店やコンビニエンスストア等の小売店の店頭に並べられる。
【００４０】
以上，図２を用いて本発明の第１の実施形態に係る印刷装置について説明した。次に，図３を用いて本発明の第１の実施形態にかかる紙面読取装置について説明する。
【００４１】
図３は，本発明の第１の実施形態にかかる紙面読取装置について説明する説明図である。図３に示したように，本発明の第１の実施形態にかかる紙面読取装置２００は，紙面読取部２１０と，座標情報抽出部２２０と，回転角度検出部２３０と，秘匿情報抽出部２４０と，読取制御部２５０と，を含んで構成される。
【００４２】
紙面読取部２１０は，書籍や雑誌の紙面を読み取って，読み取り画像を生成するものである。紙面読取部２１０として，カメラやコピー機のＣＣＤ（Ｃｈａｒｇｅ  Ｃｏｕｐｌｅｄ  Ｄｅｖｉｃｅｓ）センサやＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサ等を用いてもよい。
【００４３】
座標情報抽出部２２０は，秘匿情報生成部１１６で生成された座標情報を，紙面読取部２１０で読み取った読み取り画像から抽出するものである。
【００４４】
回転角度検出部２３０は，座標情報抽出部２２０で抽出した座標情報を基に，読み取った画像の回転角度を検出する。回転角度の検出には三角関数を用いることができる。
【００４５】
秘匿情報抽出部２４０は，回転角度検出部２３０で検出した画像の回転角度を基に，紙面読取部２１０で読み取った画像を回転させて補正し，秘匿情報生成部１１６で生成された秘匿情報を，補正した画像から取得するものである。秘匿情報の抽出には，例えば特許文献２に示した方法を用いる事ができる。
【００４６】
読取制御部２５０は，読み取った画像の保存を制御するものである。秘匿情報抽出部２４０で抽出した情報の中に，紙面の撮影，読み取りを禁止する情報が含まれていた場合には，読取制御部２５０は読み取った画像を消去する。
【００４７】
以上，図３を用いて本発明の第１の実施形態にかかる紙面読取装置について説明した。次に，図４を用いて本発明の第１の実施形態にかかる印刷方法について説明する。
【００４８】
図４は，本発明の第１の実施形態にかかる印刷方法について説明する流れ図である。まず，紙面作成部１１２で書籍や雑誌の紙面を作成する（ステップＳ１０２）。次に，紙面情報生成部１１４で，作成した紙面から紙面データを生成する（ステップＳ１０４）。図５は紙面データの一例を示す説明図である。見開きになっており，左側のページに写真が，右側のページに文書が掲載されている。
【００４９】
次に，秘匿情報生成部１１６で秘匿情報の生成を行う。本実施形態においては，秘匿情報として，回転角度検出情報，撮影禁止情報および識別情報の生成を行う。まず，回転角度検出情報を生成する（ステップＳ１０６）。回転角検出情報とは，ある一点が紙面上のどの位置を示すかを座標で表現したものである。
【００５０】
図６は，回転角検出情報を紙面上に重畳したものを示す説明図である。図６に示したように，秘匿情報生成部１１６は一定の間隔で紙面全体に回転角検出情報の基準となる座標を示す点を配置する。本実施形態においては，紙面の左上を原点として，紙面の左右方向をｘ軸，紙面の上下方向をｙ軸として座標を定義しているが，本発明においては座標の定義はかかる例に限定されない。また，本実施形態においては座標の最大値を，ｘ軸に関しては２５５，ｙ軸に関しては３３０としているが，本発明においては座標の最大値はかかる例に限定されない。
【００５１】
次に，撮影禁止情報を生成する（ステップＳ１０８）。紙面読取装置２００で紙面を読み取った際に，読み取った紙面の画像に撮影禁止情報が含まれていれば，撮影禁止情報は読み取った紙面の画像の保存を制限する役割を有する。
【００５２】
次に，識別情報を生成する（ステップＳ１１０）。識別情報とは，書籍や雑誌および書籍や雑誌の紙面を特定するための情報であり，例えばＩＳＢＮ（Ｉｎｔｅｒｎａｔｉｏｎａｌ  Ｓｔａｎｄａｒｄ  Ｂｏｏｋ  Ｎｕｍｂｅｒ：国際標準図書番号）コード，書籍および雑誌の名称，ページ番号等である。
【００５３】
生成した回転角度検出情報，撮影禁止情報および識別情報を統合して，秘匿情報の生成を行う（ステップＳ１１２）。生成した秘匿情報は，印刷データ生成部１１８で埋め込み情報として生成され，紙面データに重畳する（ステップＳ１１４）。埋め込み情報が重畳された紙面データは，印刷部１２２で印刷されて紙面が出来上がる（ステップＳ１１６）。出来上がった紙面は，書籍や雑誌に製本されて店頭に並べられる。
【００５４】
以上，図４を用いて本発明の第１の実施形態にかかる印刷方法について説明した。次に，図７を用いて本発明の第１の実施形態にかかる紙面読取方法について説明する。
【００５５】
図７は，本発明の第１の実施形態にかかる紙面読取方法について説明する流れ図である。まず，書籍や雑誌の紙面を紙面読取装置２００の紙面読取部２１０で読み取る（ステップＳ１２２）。
【００５６】
紙面読取部２１０で紙面を読み取ると，読み取った読み取り画像から秘匿情報生成部１１６で生成された座標情報を座標情報抽出部２２０が抽出し（ステップＳ１２４），抽出した座標情報から，回転角度検出部２３０が読み取り画像の回転角度を検出する（ステップＳ１２６）。秘匿情報の抽出には，例えば特許文献２に示した方法を用いる事ができる。
【００５７】
回転角度検出部２３０が読み取り画像の回転角度を検出すると，検出した回転角度を基に，画像の左上が原点方向となるように読み取り画像を回転させることで，読み取り画像の補正を行う（ステップＳ１２８）。読み取り画像の補正が完了すると，秘匿情報抽出部２４０が，紙面に埋め込まれた埋め込み情報から秘匿情報を抽出し（ステップＳ１３０），抽出した秘匿情報を，撮影禁止情報と識別情報とに分離する（ステップＳ１３２）。
【００５８】
そして，撮影禁止情報が埋め込み情報に含まれていた場合，読取制御部２５０が読み取った読み取り画像の消去を行う（ステップＳ１３４）。このように，読取禁止情報が埋め込まれている紙面を紙面読取装置２００で読み取った場合に，読み取った画像を消去することができる。
【００５９】
以上，図７を用いて本発明の第１の実施形態にかかる紙面読取方法について説明した。
【００６０】
以上説明したように，本発明の第１の実施形態によれば，紙面に読取禁止情報を埋め込んで印刷することで，紙面の不正な読み取りを防ぐことができる，印刷装置，印刷方法，紙面読取装置，紙面読取方法および書籍不正読取防止システムを提供することが可能となる。
【００６１】
（第２の実施形態）
第１の実施形態では，紙面全体について不正な読み取りを防止していたが，第２の実施形態では，紙面の一部について不正な読み取りを防止する。第２の実施形態に係る印刷システム１００および紙面読取装置２００の構成は第１の実施形態と同一であるので，詳細な説明は割愛する。
【００６２】
図８は，本発明の第２の実施形態に係る印刷方法を示す流れ図である。まず，紙面作成部１１２で書籍や雑誌の紙面を作成する（ステップＳ２０２）。次に，紙面情報生成部１１４で，作成した紙面から紙面データを生成する（ステップＳ２０４）。図９は紙面データの一例を示す説明図である。見開きになっており，左側のページに写真が，右側のページに文書および広告が掲載されている。本実施形態においては，広告の部分のみが読取可能な領域となっているが，読取可能領域の設定はかかる例に限定されない。
【００６３】
次に，秘匿情報生成部１１６で秘匿情報の生成を行う。本実施形態においては，秘匿情報として，回転角度検出情報，撮影禁止情報および識別情報の生成を行う。まず，回転角度検出情報を生成する（ステップＳ２０６）。
【００６４】
図１０は，回転角検出情報を紙面上に重畳したものを示す説明図である。図１０に示したように，秘匿情報生成部１１６は一定の間隔で紙面全体に回転角検出情報の基準となる座標を示す点を配置する。本実施形態においては，紙面の左上を原点として，紙面の左右方向をｘ軸，紙面の上下方向をｙ軸として座標を定義しているが，本発明においては座標の定義はかかる例に限定されない。また，本実施形態においても座標の最大値を，ｘ軸に関しては２５５，ｙ軸に関しては３３０としているが，本発明においては座標の最大値はかかる例に限定されない。本実施形態においては，読取可能領域である広告部分の四隅の４点を（１５０，１７０），（２５５．１７０），（１５５，３３０），（２５５，３３０）として定義している。
【００６５】
次に，読取禁止領域情報を生成する（ステップＳ２０８）。紙面読取装置２００で紙面を読み取った際に，読み取った紙面の画像に読取禁止領域情報が含まれていれば，読取禁止領域情報は読み取った紙面の画像の保存を制限する役割を有する。本実施形態においては，読取可能領域である広告部分以外の領域に読取禁止領域情報を生成する。
【００６６】
次に，識別情報を生成する（ステップＳ２１０）。識別情報とは，書籍や雑誌および書籍や雑誌の紙面を特定するための情報であり，例えばＩＳＢＮコード，書籍および雑誌の名称，ページ番号等である。
【００６７】
生成した回転角度検出情報，撮影禁止情報および識別情報を統合して，秘匿情報の生成を行う（ステップＳ２１２）。生成した秘匿情報は，印刷データ生成部１１８で埋め込み情報として生成され，紙面データに重畳する（ステップＳ２１４）。埋め込み情報が重畳された紙面データは，印刷部１２２で印刷されて紙面が出来上がる（ステップＳ２１６）。出来上がった紙面は，書籍や雑誌に製本されて店頭に並べられる。
【００６８】
以上，図８を用いて本発明の第２の実施形態に係る印刷方法について説明した。次に，図１１を用いて本発明の第２の実施形態に係る紙面読取方法について説明する。
【００６９】
図１１は，本発明の第２の実施形態に係る紙面読取方法を示す流れ図である。まず，書籍や雑誌の紙面を紙面読取装置２００の紙面読取部２１０で読み取る（ステップＳ２２２）。
【００７０】
紙面読取部２１０で紙面を読み取ると，読み取った読み取り画像から秘匿情報生成部１１６で生成された座標情報を座標情報抽出部２２０が抽出し（ステップＳ２２４），抽出した座標情報から，回転角度検出部２３０が読み取り画像の回転角度を検出する（ステップＳ２２６）。
【００７１】
読み取り画像の回転角度を検出すると，抽出した回転角度を基に，画像の左上が原点方向となるように読み取り画像を回転させることで，読み取り画像の補正を行う（ステップＳ２２８）。読み取り画像の補正が完了すると，秘匿情報抽出部２４０が，紙面に埋め込まれた埋め込み情報から秘匿情報を抽出し（ステップＳ２３０），抽出した秘匿情報を，読取禁止領域情報と識別情報とに分離する（ステップＳ２３２）。
【００７２】
そして，読取禁止領域情報が埋め込み情報に含まれていた場合，読取制御部２５０が読み取った読み取り画像のうち，読取禁止領域情報が存在する領域を黒く塗り潰す等して消去を行う（ステップＳ２３４）。このように，読取禁止領域情報が埋め込まれている紙面を紙面読取装置２００で読み取った場合に，読取禁止領域情報が埋め込まれている領域の画像を消去することができる。
【００７３】
以上，図１１を用いて本発明の第２の実施形態にかかる紙面読取方法について説明した。
【００７４】
以上説明したように，本発明の第２の実施形態によれば，紙面に読取禁止領域情報を埋め込んで印刷することで，紙面の不正な読み取りを防ぐことができる，印刷装置，印刷方法，紙面読取装置，紙面読取方法および書籍不正読取防止システムを提供することが可能となる。
【００７５】
（第３の実施形態）
本発明の第１の実施形態および第２の実施形態においては，紙面の一部もしくは全部に撮影禁止情報を埋め込み，紙面読取装置で読み取った画像に撮影禁止情報が含まれていた場合に，撮影した画像の一部もしくは全部を消去していた。本発明の第３の実施形態では，紙面の一部もしくは全部に，撮影禁止情報の他に読み取った紙面を保存するためには料金の支払いが必要であることを示す料金精算情報を埋め込み，紙面を保存するためには料金の支払いが必要となる，印刷装置，印刷方法，紙面読取装置，紙面読取方法および書籍不正読取防止システムを提供する。
【００７６】
図１２は，本発明の第３の実施形態にかかる書籍不正読取防止システムの概要を示す説明図である。図１２に示したように，本発明の第３の実施形態にかかる書籍不正読取防止システムは，紙面読取装置３００と，紙面料金精算装置４００とを含む。紙面読取装置３００と，紙面料金精算装置４００とは，ネットワーク５００で接続されている。
【００７７】
紙面読取装置３００は，書籍や雑誌の紙面を読み取るものである。紙面読取装置３００として，小型の撮像装置を備えた情報処理装置や通信機器を用いることができる。図１２では，紙面読取装置３００の形態としてカメラ付き携帯電話を示しているが，本発明はかかる例に限定されず，紙面読取装置として例えばネットワークに接続可能なカメラ付き携帯端末，デジタルカメラ，コピー機などを用いる事ができる。
【００７８】
紙面料金精算装置４００は，紙面読取装置３００が書籍や雑誌の紙面を読み取って保存するために必要な料金を精算するものである。ネットワーク５００を通じて紙面読取装置３００から紙面情報と料金の支払い情報を受信して，料金の支払いが確認できれば，紙面読取装置３００が読み取った画像の保存を許可する。
【００７９】
以上，図１２を用いて本発明の第３の実施形態にかかる書籍不正読取防止システムの概要について説明した。次に，図１３を用いて本発明の第３の実施形態にかかる紙面読取装置と紙面料金精算装置の構成について説明する。
【００８０】
印刷システムについては，第１の実施形態および第２の実施形態と構成は同一である。ここでは，第１の実施形態および第２の実施形態と構成が異なる紙面読取装置と，新たな構成要素である紙面料金精算装置とについて説明する。
【００８１】
図１３は，本発明の第３の実施形態にかかる紙面読取装置と紙面料金精算装置の構成について説明する説明図である。図１３に示したように，本発明の第３の実施形態にかかる紙面読取装置３００は，紙面読取部３１０と，座標情報抽出部３２０と，回転角度検出部３３０と，秘匿情報抽出部３４０と，紙面特定情報送信部３４２と，紙面料金表示部３４４と，精算情報送信部３４６と，読取制御部３５０と，を含んで構成される。また，本発明の第３の実施形態にかかる紙面料金精算装置４００は，紙面料金確認部４１０と，紙面料金記録部４２０と，紙面料金精算部４３０と，を含んで構成される。
【００８２】
紙面読取部３１０は，第１の実施形態にかかる紙面読取部２１０と同様に，書籍や雑誌の紙面を読み取って，読み取り画像を生成するものである。紙面読取部３１０として，カメラやコピー機のＣＣＤセンサやＣＭＯＳセンサ等を用いてもよい。
【００８３】
座標情報抽出部３２０は，第１の実施形態にかかる座標情報抽出部２２０と同様に，座標情報を，紙面読取部３１０で読み取った読み取り画像から抽出するものである。
【００８４】
回転角度検出部３３０は，第１の実施形態にかかる回転角度検出部２３０と同様に，座標情報抽出部３２０で抽出した座標情報を基に，読み取った画像の回転角度を検出する。回転角度の検出には三角関数を用いることができる。
【００８５】
秘匿情報抽出部３４０は，第１の実施形態にかかる秘匿情報抽出部２４０と同様に，回転角度検出部３３０で検出した画像の回転角度を基に，紙面読取部３１０で読み取った画像を回転させて補正し，補正した画像から秘匿情報を抽出するものである。本実施形態における秘匿情報には，第１の実施形態および第２の実施形態で示した紙面の回転角度を検出するための座標情報，撮影禁止を示す情報，書籍の識別情報，書籍のページ番号の他に料金精算情報が含まれる。料金精算情報には，紙面料金精算装置の場所の情報を含んでもよい。紙面料金精算装置の場所の情報は，紙面料金精算装置のＵＲＬ（Ｕｎｉｆｏｒｍ  Ｒｅｓｏｕｒｃｅ  Ｌｏｃａｔｏｒ）であってもよい。本実施形態においても，秘匿情報の抽出には，例えば特許文献２に示した方法を用いる事ができる。
【００８６】
紙面特定情報送信部３４２は，秘匿情報抽出部３４０が抽出した秘匿情報に料金精算情報が含まれていた場合，料金精算情報に含まれている紙面料金精算装置に向けて，ネットワーク５００を通じて紙面の料金を特定するために必要な情報（以下，紙面の料金を特定するために必要な情報のことを「紙面特定情報」と称する）を送信するものである。紙面の料金を検索するために必要な情報として，秘匿情報抽出部３４０で抽出した書籍や雑誌を識別する識別情報や，書籍や雑誌のページ番号を送信してもよい。
【００８７】
紙面料金表示部３４４は，紙面料金精算装置４００からネットワーク５００を通じて送信された料金情報の表示を行い，紙面読取装置３００の使用者に対し，料金の支払いの意思があるかどうかの確認を行うものである。
【００８８】
精算情報送信部３４６は，紙面料金精算装置４００からネットワーク５００を通じて送信された料金情報に従って支払う料金の料金精算データを，紙面料金精算装置４００に向けて送信するものである。
【００８９】
読取制御部３５０は，紙面読取部３１０で読み取った画像について，紙面料金精算装置４００に料金情報を送信した場合には読み取った画像を保存し，料金情報を送信しなかった場合には読み取った画像を消去するものである。
【００９０】
紙面料金確認部４１０は，紙面読取装置３００の紙面特定情報送信部３４２から，ネットワーク５００を通じて紙面特定情報を受信すると，その紙面特定情報を用いて紙面料金記録部４２０を検索し，紙面料金記録部４２０から取得した料金情報を紙面読取装置３００に送信するものである。
【００９１】
紙面料金記録部４２０は，紙面読取装置３００が紙面読取部３１０で紙面を読み取った際に，読み取った画像の保存に必要な料金の情報を格納しているものである。格納されている料金の情報は，紙面特定情報送信部３４２から送信される紙面特定情報を受信した紙面料金確認部４１０が検索を行う。
【００９２】
紙面料金精算部４３０は，紙面読取装置３００の精算情報送信部３４６から料金情報がネットワーク５００を通じて送信されてきた場合，その料金情報に基づいて料金の精算を行い，料金の精算結果を紙面読取装置３００の読取制御部３５０にネットワーク５００を通じて送信するものである。
【００９３】
以上，図１３を用いて本発明の第３の実施形態にかかる紙面読取装置と紙面料金精算装置の構成について説明した。次に，図１４を用いて，本発明の第３の実施形態にかかる印刷方法について説明する。
【００９４】
図１４は，本発明の第３の実施形態にかかる印刷方法について説明する流れ図である。本発明の第１の実施形態および第２の実施形態同様，最初に紙面の作成を行い（ステップＳ３０２），作成した紙面から紙面画像を生成する（ステップＳ３０４）。さらに，回転角度検出情報を生成し（ステップＳ３０６），撮影禁止情報を生成し（ステップＳ３０８），書籍の識別情報を生成する（ステップＳ３１０）までは第１の実施形態と同様の処理を実行する。
【００９５】
書籍の識別情報の生成が完了すると，次に料金精算情報を生成する（ステップＳ３１１）。料金精算情報には，紙面料金精算装置の場所の情報を含んでもよい。紙面料金精算装置の場所の情報は，紙面料金精算装置のＵＲＬであってもよい。生成した回転角度検出情報，撮影禁止情報，識別情報および料金精算情報を統合して，秘匿情報の生成を行う（ステップＳ３１２）。生成した秘匿情報は埋め込み情報として生成され，紙面データに重畳される（ステップＳ３１４）。埋め込み情報が重畳された紙面データは印刷部１２２印刷されて，紙面が出来上がる（ステップＳ３１６）。出来上がった紙面は，書籍や雑誌の形に製本されて店頭に並べられる。
【００９６】
以上，図１４を用いて，本発明の第３の実施形態にかかる印刷方法について説明した。次に，図１５を用いて，本発明の第３の実施形態にかかる紙面読取方法について説明する。
【００９７】
図１５は，本発明の第３の実施形態にかかる紙面読取方法について説明する流れ図である。図１５に示したように，本発明の第３の実施形態にかかる紙面読取方法は，最初に紙面読取装置３００の紙面読取部３１０で紙面を読み取る（ステップＳ３２２）。読み取った読み取り画像から，生成された座標情報を座標情報抽出部３２０が抽出し（ステップＳ３２４），抽出した座標情報から，回転角度検出部３３０が読み取り画像の回転角度を検出する（ステップＳ３２６）。
【００９８】
読み取り画像の回転角度を検出すると，抽出した回転角度を基に，画像の左上が原点方向となるように読み取り画像を回転させることで，読み取り画像の補正を行う（ステップＳ３２８）。読み取り画像の補正が完了すると，秘匿情報抽出部３４０が，紙面に埋め込まれた埋め込み情報から秘匿情報を抽出し（ステップＳ３３０），抽出した秘匿情報を，読取禁止領域情報と識別情報と料金精算情報とに分離する（ステップＳ３３２）。
【００９９】
埋め込み情報から取得した秘匿情報を読取禁止領域情報と識別情報と料金精算情報とに分離すると，紙面特定情報送信部３４２が紙面特定情報を紙面料金精算装置４００に送信する（ステップＳ３３４）。紙面特定情報として紙面料金精算装置４００に送信する情報として，書籍や雑誌の識別情報や，書籍や雑誌のページ番号を送信してもよい。
【０１００】
紙面特定情報を受信した紙面料金精算装置４００の紙面料金確認部４１０は，受信した紙面特定情報から紙面料金記録部４２０を検索し，紙面読取装置３００が読み取った紙面の読み取り画像を保存するために必要な料金情報を紙面料金記録部４２０から取得し，紙面読取装置３００に向けて送信する（ステップＳ３３６）。
【０１０１】
紙面読取装置３００は，紙面料金精算装置４００から料金情報を受信すると，紙面料金表示部３４４に受信した料金情報を表示する（ステップＳ３３８）。そして，紙面読取装置３００の使用者に対して料金の支払いの意思があるかどうかの確認表示を行う（ステップＳ３４０）。
【０１０２】
紙面読取装置３００の使用者が料金の支払いを選択した場合は，精算情報表示部３４８が，支払う料金の料金精算データを紙面料金精算装置４００に向けて送信する（ステップＳ３４２）。料金精算データを受信した紙面料金精算装置４００は，紙面料金精算部４３０で料金の精算を行う（ステップＳ３４４）。料金の精算が完了すると，紙面料金精算部４３０から料金の精算が完了した旨を紙面読取装置３００に通知する。読取制御部３５０は，料金の精算が完了した旨の通知を受信すると，紙面読取部３１０で読み取った紙面の読み取り画像の保存を行う（ステップＳ３４６）。
【０１０３】
一方，上記ステップＳ３４０で紙面読取装置３００の使用者が料金の支払いを拒否した場合は，読取制御部３５０は紙面読取部３１０で読み取った紙面の読み取り画像の消去を行う（ステップＳ３４８）。
【０１０４】
以上説明したように，本発明の第３の実施形態によれば，紙面を読み取った際に，読み取った画像を保存するための料金を課金し，料金を支払った場合にのみ読み取った画像の保存を許可する，印刷装置，印刷方法，紙面読取装置，紙面読取方法および書籍不正読取防止システムを提供することが可能となる。
【０１０５】
（第４の実施形態）
本発明の第４の実施形態では，書籍や雑誌を購入すると，購入した書籍の書籍識別情報を紙面読取装置に記憶し，購入した書籍や紙面を紙面読取装置で読み取った場合にのみ，読み取った画像の保存を許可する，印刷装置，印刷方法，紙面読取装置，紙面読取方法および書籍不正読取防止システムを提供する。
【０１０６】
図１６は，本発明の第４の実施形態にかかる紙面読取装置の構成を示す説明図である。本発明の第４の実施形態にかかる紙面読取装置６００は，紙面読取部６１０と，バーコード検出部６１２と，バーコードデコード部６１４と，書籍情報記録部６１６と，書籍データ記憶部６１８と，座標情報抽出部６２０と，回転角度検出部６３０と，秘匿情報抽出部６４０と，書籍情報検索部６４２と，読取制御部６５０と，表示部６６０と，を含んで構成される。
【０１０７】
座標情報抽出部６２０，回転角度検出部６３０および秘匿情報抽出部６４０は，本発明の第１の実施形態にかかる座標情報抽出部２２０，回転角度検出部２３０および秘匿情報抽出部２４０と同一の機能を有するため，ここでは詳細な説明は割愛する。ここでは，本発明の第１の実施形態にかかる紙面読取部２１０と機能が異なる紙面読取部６１０並びに新しい構成要素であるバーコード検出部６１２，バーコードデコード部６１４，書籍情報記録部６１６，書籍データ記憶部６１８，書籍情報検索部６４２および表示部６６０について説明する。
【０１０８】
紙面読取部６１０は，書籍や雑誌の紙面を読み取って，読み取り画像を生成するものである。また，紙面読取部６１０は，書籍や雑誌を書店等で購入した際に，ＰＯＳ（Ｐｏｉｎｔ  Ｏｆ  Ｓａｌｅｓ）レジスタから出力されるレシートに印刷されたバーコードを読み取るものである。紙面読取部６１０として，カメラやコピー機のＣＣＤセンサやＣＭＯＳセンサ等を用いてもよい。
【０１０９】
バーコード検出部６１２は，ＰＯＳレジスタから出力されたレシートを紙面読取部６１０が読み取った際に，そのレシートにバーコードが印刷されていた場合に，そのバーコードを検出するものである。バーコードの形態として１次元のバーコートであってもよく，２次元バーコードであってもよい。図１７はレシートの一例である。レシート７００の右下部にバーコード７１０が印刷されている。バーコード７１０は本発明における書籍情報の一例であり，本実施形態においては，レシート７００のバーコード７１０の形態として２次元バーコードを用いている。
【０１１０】
バーコードデコード部６１４は，バーコード検出部６１２で検出したバーコードのデコードを行い，デコードした結果から書籍識別情報を生成するものである。書籍情報記録部６１６は，バーコードデコード部６１４で生成した書籍識別情報から，書籍を購入したことを示す書籍購入情報を生成し，書籍データ記憶部６１８に保存するものである。
【０１１１】
書籍情報検索部６４２は，紙面読取部６１０で書籍や雑誌の紙面を読み取った読み取り画像に書籍識別情報が埋め込まれていた場合，書籍データ記憶部６１８に保存されている書籍購入情報の中に，読み取り画像に埋め込まれている書籍識別情報に対応するものがあるかどうか検索を行うものである。
【０１１２】
表示部６６０は，紙面読取部６１０で書籍や雑誌の紙面を読み取った読み取り画像に埋め込まれている書籍識別情報と，書籍データ記憶部６１８に保存されている書籍識別情報とが一致しなかった場合に，警告を表示するものである。
【０１１３】
以上，図１６を用いて本発明の第４の実施形態にかかる紙面読取装置の構成について説明した。次に，図１８を用いて，本発明の第４の実施形態にかかる紙面読取装置のレシート読み取り方法について説明する。
【０１１４】
図１８は，本発明の第４の実施形態にかかる紙面読取装置のレシート読み取り処理について説明する流れ図である。図１８を用いて本発明の第４の実施形態にかかる紙面読取装置のレシート読み取り処理について説明すれば，最初に，紙面読取部６１０でレシートを読み取る（ステップＳ４０２）。レシートにバーコードが印刷されていれば，バーコード検出部６１２が印刷されているバーコードを検出する（ステップＳ４０４）。
【０１１５】
バーコード検出部６１２でバーコードを検出すると，バーコードデコード部６１４でバーコードのデコードを行い（ステップＳ４０６），デコードした結果から書籍識別情報の抽出を行う（ステップＳ４０８）。書籍識別情報を抽出すると，書籍情報記録部６１６が抽出した書籍識別情報から書籍購入情報を生成し，書籍データ記憶部６１８に保存する（ステップＳ４１０）。
【０１１６】
このように，本発明の第４の実施形態にかかる紙面読取装置のレシート読み取り方法によれば，書籍や雑誌を正当に購入した証であるレシートにバーコードを印刷し，そのバーコードを読み取ることで，紙面読取装置に書籍や雑誌を購入した証である書籍購入情報を蓄積することができる。
【０１１７】
以上，図１８を用いて，本発明の第４の実施形態にかかる紙面読取装置のレシート読み取り処理について説明した。次に，図１９を用いて本発明の第４の実施形態にかかる紙面読取方法について説明する。
【０１１８】
図１９は，本発明の第４の実施形態にかかる紙面読取方法について説明する流れ図である。図１９に示したように，本発明の第４の実施形態にかかる紙面読取方法は，最初に紙面読取部６１０で紙面の読み取りを行う（ステップＳ４２２）。読み取った読み取り画像から，生成された座標情報を座標情報抽出部６２０が抽出し（ステップＳ４２４），抽出した座標情報から，回転角度検出部６３０が読み取り画像の回転角度を検出する（ステップＳ４２６）。
【０１１９】
読み取り画像の回転角度を検出すると，抽出した回転角度を基に，画像の左上が原点方向となるように読み取り画像を回転させることで，読み取り画像の補正を行う（ステップＳ４２８）。読み取り画像の補正が完了すると，秘匿情報抽出部６４０が，紙面に埋め込まれた埋め込み情報から秘匿情報を抽出し（ステップＳ４３０），抽出した秘匿情報を，読取禁止情報と書籍識別情報とに分離し，書籍識別情報を抽出する（ステップＳ４３２）。
【０１２０】
書籍識別情報を抽出すると，抽出した書籍識別情報を用いて，書籍データ記憶部６１８を検索する（ステップＳ４３４）。書籍データ記憶部６１８に，抽出した書籍識別情報に対応する書籍購入情報が存在しているかどうかを判断し（ステップＳ４３６），対応する書籍購入情報が存在していた場合，読取制御部６５０は，読み取った読み取り画像を保存する（ステップＳ４３８）。しかし，対応する書籍購入情報が存在していない場合，読取制御部６５０は，読み取った読み取り画像を消去し（ステップＳ４４０），紙面読取装置６００の表示部６６０に警告を表示する（ステップＳ４４２）。
【０１２１】
以上説明したように，本発明の第４の実施形態によれば，書籍や雑誌を購入すると，購入した書籍の書籍識別情報を紙面読取装置に記憶し，購入した書籍や紙面を紙面読取装置で読み取った場合にのみ，読み取った画像の保存を許可する，印刷装置，印刷方法，紙面読取装置，紙面読取方法および書籍不正読取防止システムを提供することが可能となる。さらに，書籍や雑誌の紙面を読み取った画像を保存するためには，その書籍や雑誌を実際に購入しなければならないため，書籍の不正な読み取りを防止するだけでなく，収益を上げることも可能になる。
【０１２２】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【０１２３】
本発明は，印刷装置，印刷方法，紙面読取装置，紙面読取方法および書籍不正読取防止システムに適用可能である。
【図面の簡単な説明】
【０１２４】
【図１】本発明の第１の実施形態に係る書籍不正読取防止システムの構成を示す説明図である。
【図２】本発明の第１の実施形態に係る印刷システムを示す説明図である。
【図３】本発明の第１の実施形態に係る紙面読取装置を説明する説明図である。
【図４】本発明の第１の実施形態に係る印刷方法を説明する流れ図である。
【図５】本発明の第１の実施形態に係る紙面データの一例を示す説明図である。
【図６】本発明の第１の実施形態に係る回転角検出情報を紙面上に重畳したものを示す説明図である。
【図７】本発明の第１の実施形態に係る紙面読取方法を説明する流れ図である。
【図８】本発明の第２の実施形態に係る印刷方法を示す流れ図である。
【図９】本発明の第２の実施形態に係る紙面データの一例を示す説明図である。
【図１０】本発明の第２の実施形態に係る回転角検出情報を紙面上に重畳したものを示す説明図である。
【図１１】本発明の第２の実施形態に係る紙面読取方法を示す流れ図である。
【図１２】本発明の第３の実施形態に係る書籍不正読取防止システムの概要を示す説明図である。
【図１３】本発明の第３の実施形態に係る紙面読取装置と紙面料金精算装置の構成について説明する説明図である。
【図１４】本発明の第３の実施形態に係る印刷方法を説明する流れ図である。
【図１５】本発明の第３の実施形態に係る紙面読取方法について説明する流れ図である。
【図１６】本発明の第４の実施形態に係る紙面読取装置の構成を示す説明図である。
【図１７】本発明の第４の実施形態に係るレシートの一例である。
【図１８】本発明の第４の実施形態に係る紙面読取装置のレシート読み取り処理について説明する流れ図である。
【図１９】本発明の第４の実施形態に係る紙面読取方法について説明する流れ図である。
【符号の説明】
【０１２５】
１００      印刷システム
１１０      紙面作成装置
１１２      紙面作成部
１１４      紙面情報生成部
１１６      秘匿情報生成部
１１８      印刷データ生成部
１２０      印刷装置
１２２      印刷部
２００，３００，６００      紙面読取装置
２１０，３１０，６１０      紙面読取部
２２０，３２０，６２０      座標情報抽出部
２３０，３３０，６３０      回転角度検出部
２４０，３４０，６４０      秘匿情報抽出部
２５０，３５０，６５０      読取制御部
３４２      紙面特定情報送信部
３４４      紙面料金表示部
３４６      精算情報送信部
３４８      精算情報表示部
４００      紙面料金精算装置
４１０      紙面料金確認部
４２０      紙面料金記録部
４３０      紙面料金精算部
５００      ネットワーク
６１２      バーコード検出部
６１４      バーコードデコード部
６１６      書籍情報記録部
６１８      書籍データ記憶部
６４２      書籍情報検索部
６６０      表示部
７００      レシート
７１０      バーコード
【図１】
2007214951.tif 000003
【図２】
2007214951.tif 000004
【図３】
2007214951.tif 000005
【図４】
2007214951.tif 000006
【図５】
2007214951.tif 000007
【図６】
2007214951.tif 000008
【図７】
2007214951.tif 000009
【図８】
2007214951.tif 000010
【図９】
2007214951.tif 000011
【図１０】
2007214951.tif 000012
【図１１】
2007214951.tif 000013
【図１２】
2007214951.tif 000014
【図１３】
2007214951.tif 000015
【図１４】
2007214951.tif 000016
【図１５】
2007214951.tif 000017
【図１６】
2007214951.tif 000018
【図１７】
2007214951.tif 000019
【図１８】
2007214951.tif 000020
【図１９】
2007214951.tif 000021